(57)【特許請求の範囲】
【請求項１】
ＬＡＮに接続される１以上の内線電話端末と、前記ＬＡＮを介して前記内線電話端末を制御する主装置と、を備える節電型ＩＰ電話システムであって、
前記内線電話端末のそれぞれは、ＩＰ内線に接続するためのＩＰ内線接続手段と、前記ＬＡＮから電力を受電する電力受電手段と、前記電力受電手段が電力を受電開始してから自端末が動作可能状態になったことを前記主装置に通知する動作可能状態通知手段または前記主装置からの問い合わせに対し自端末が動作可能状態か否かを返信する動作可能状態返信手段と、を有し、
前記主装置は、前記内線電話端末のそれぞれへの電力供給を制御する電力供給制御手段と、前記内線電話端末への着信があった場合に着信先の内線電話端末への電力供給を開始する電力供給開始手段と、所定のメッセージを当該着信の発信元へ送信するメッセージ送信手段と、当該内線電話端末が動作可能な状態になったか否かを判定する内線電話端末動作判定手段と、前記内線電話端末動作判定手段が当該内線電話端末は動作可能な状態であると判定してから前記発信元と当該内線電話端末を接続する判定後接続手段と、を有し、
前記内線電話端末動作判定手段は、前記動作可能状態通知手段からの通知または前記動作可能状態返信手段からの返信に基づいて、当該内線電話端末が動作可能な状態になったか否かを判定し、前記判定後接続手段は、当該内線電話端末が動作可能な状態になった場合には、当該内線電話端末を呼び出し状態にして、当該内線電話端末の応答があるか否かを判定し、応答ありの場合には前記発信元と当該内線電話端末を接続し、当該内線電話端末が動作可能な状態にない場合には、タイムアウトか否かを検出し、タイムアウトの場合には給電を停止することを特徴とする節電型ＩＰ電話システム。
【発明の詳細な説明】
【技術分野】
【０００１】
本発明は、ＩＰ電話システムに関し、特に、節電型のＩＰ電話システムに関する。
【背景技術】
【０００２】
ＩＰ電話機は制御用の高速のＣＰＵやイーサネット（商標登録）などのＬＡＮ用ＬＳＩを必要とし、メモリ容量や消費電力が大きい。また通常は常にパケット監視をするために、通信を行っていないときでもこれらの回路を稼働しているため消費電力が大きく、システムとして考えると多くの電力を消費してしまう。
【０００３】
多くの電力を消費してしまう問題点を解決するシステムとして、例えば、特許文献１には、発着信が所定時間以上ない待機状態で端末のＬＡＮインターフェース、キー検出、タイマー手段を除く各部の電力を制限する省電力モードを備え、省電力モードの時に着信があり、ＬＡＮインターフェース手段を通じて電力モード切替パケットを受信したとき、キー操作入力が検出されたとき、所定時間の経過を検出したときのいずれかのときに、すべての部位に電力を供給する通常モードを備えることで、消費電力を削減しつつ、接続されているＩＰ電話端末の有無を定期的に管理する技術が知られている。
【特許文献１】特開２００５−１０１９２１号公報
【発明の開示】
【発明が解決しようとする課題】
【０００４】
しかしながら、前記の従来システムでは、端末のみの実施内容であり、省電力モードといえど電話端末には各部への給電が継続され、複数台接続されるシステムとしては、全体的な省電力効果には限界がある。また、完全に電源オフ状態になっている場合は、電源オンしてから端末内各部の動作が正常状態になるまでに時間が掛かり（例えば数１０秒）、着信に応答し損なうことがあるという問題点があった。
【０００５】
本発明は、かかる事情に鑑みて工夫なされたものであり、着信に応答し損なうことなく、主装置から内線電話端末への給電を完全停止できるようにすることを目的とする。
【課題を解決するための手段】
【０００６】
本発明の節電型ＩＰ電話システムは、ＬＡＮに接続される１以上の内線電話端末と、前記ＬＡＮを介して前記内線電話端末を制御する主装置と、を備えており、前記内線電話端末のそれぞれは、ＩＰ内線に接続するためのＩＰ内線接続手段と、前記ＬＡＮから電力を受電する電力受電手段と、前記電力受電手段が電力を受電開始してから自端末が動作可能状態になったことを前記主装置に通知する動作可能状態通知手段または前記主装置からの問い合わせに対し自端末が動作可能状態か否かを返信する動作可能状態返信手段と、を有し、前記主装置は、前記内線電話端末のそれぞれへの電力供給を制御する電力供給制御手段と、前記内線電話端末への着信があった場合に着信先の内線電話端末への電力供給を開始する電力供給開始手段と、所定のメッセージを当該着信の発信元へ送信するメッセージ送信手段と、当該内線電話端末が動作可能な状態になったか否かを判定する内線電話端末動作判定手段と、前記内線電話端末動作判定手段が当該内線電話端末は動作可能な状態であると判定してから前記発信元と当該内線電話端末を接続する判定後接続手段と、を有し、前記内線電話端末動作判定手段は、前記動作可能状態通知手段からの通知または前記動作可能状態返信手段からの返信に基づいて、当該内線電話端末が動作可能な状態になったか否かを判定し、前記判定後接続手段は、当該内線電話端末が動作可能な状態になった場合には、当該内線電話端末を呼び出し状態にして、当該内線電話端末の応答があるか否かを判定し、応答ありの場合には前記発信元と当該内線電話端末を接続し、当該内線電話端末が動作可能な状態にない場合には、タイムアウトか否かを検出し、タイムアウトの場合には給電を停止することを特徴とする。
【発明の効果】
【０００７】
本発明によれば、節電型ＩＰ電話システムにおいて、着信に応答し損なうことなく、主装置から内線電話端末への給電を完全停止するという効果を奏する。
【発明を実施するための最良の形態】
【０００８】
以下、本発明の実施形態について、図面を参照して説明する。
【実施例１】
【０００９】
図１は、本発明の実施例１のＩＰ電話システムの全体構成図である。図１において、１はＩＰ電話システム、１１は主装置、１２は内線電話端末、１３はＷＡＮ、１４はＬＡＮ、
１５は電話網を示している。ＩＰ電話システム１は主装置１１と複数の内線電話端末１２から構成され、主装置１１と複数の内線電話端末１２がＬＡＮ１４で接続されており、主装置１１は、ＷＡＮ１３及び電話網１５と接続されている。
【００１０】
図２は、本発明のＩＰ電話システムの主装置の構成図である。図２において、１６はＷＡＮポート部、１７は回線インターフェース部、２１は通信制御部、２２は共通メモリ部、２３はメッセージ送信部、２４は給電処理部、２５はループ検出部、２６は交換処理部、２７はＧＷ部、２８−１，２８−２，２８−３はＬＡＮポート部、２９は電源部、３０はバックアップ電池部を示している。
【００１１】
主装置１１は、ＬＡＮポート部２８−１，２８−２，２８−３を介して複数の内線電話端末１２と接続され、ＷＡＮポート部１６を介してＷＡＮ１３と、回線インターフェース部１７を介して電話網１５と接続されている。ＧＷ部２７及び通信制御部２１、交換処理部２６は連携して本主装置の通信制御全般を行う。主装置１１のループ検出部２５は、各ＬＡＮポート部２８−１，２８−２，２８−３を介して、内線電話端末１２のループを検出し、ループの検出を通信制御部２１に通知する。なお、各ＬＡＮポート部２８−１、２８−２、２８−３のそれぞれはＬＡＮ規格の信号線Ｔｘ／Ｒｘを電力供給に使用するファントム給電機能を具備し、さらに、ここでループの検出とは、この信号線Ｔｘ／Ｒｘを回線電流ループ検出および極性反転検出を行うことを示す。通信制御部２１は、給電処理部２４を制御して、電源部２９からの電源をＬＡＮポート部を介して、対応する内線電話端末１２に供給する。メッセージ送信部２３は、必要なメッセージを通信制御部２１、交換処理部２６を介して、内線電話端末１２、ＷＡＮ１３、電話網１５に接続された電話端末に送信する。
【００１２】
図３は、本発明のＩＰ電話システムの内線電話端末の構成図である。図３において、３１は音声処理コーデック部、３２はデータ送受信部、３３はＬＡＮＩ／Ｆ部、３４は受電部、３５は電源回路部、３６はループ生成部、３７は給電制御部、３８はウェイクアップ状態通知部、３９は制御部、４１は表示部、４２はキー部、４３はフックスイッチ部、４４はスピーカ部、４５はマイク部、４６はハンドセット部を示している。
【００１３】
フックスイッチ部４３がオフフックするか、キー部４２のキー入力が行われると、ループ生成部３６でループ生成が行われ、ＬＡＮＩ／Ｆ部３３、及びＬＡＮ１４を介して、主装置１１に通知される。また、主装置１１からＬＡＮ１４、及びＬＡＮＩ／Ｆ部３３を介して、受電信号を受信すると受電部３４は電源回路部３５を介して内線電話端末１２の各部に電源を供給する。
【００１４】
また、制御部３９は、ウェイクアップ状態通知部３８を制御し、データ送受信部３２により、内部電話端末１２のウェイクアップ状態をＬＡＮＩ／Ｆ部３３、及びＬＡＮ１４を介して、主装置１１に通知する。
【００１５】
図４は、主装置の給電停止モード端末への着信動作のフローチャートである。図４の
ステップＳ４０１において、着信（ＩＮＶＩＴＥ）が行われると、ステップＳ４０２において、給電停止モード端末の着信と判定し、ステップＳ４０３において、転送／留守モードか否かの判定を行う。
【００１６】
ステップＳ４０３において、転送／留守モードではない場合には、ステップＳ４０４において、当該内線ＬＡＮポート部への給電を開始し、ステップＳ４０５において、着信呼に応答し、ステップＳ４０６において、主装置と発信元間で通話セッションを確立し、ステップＳ４０７において、接続中である旨の第１メッセージを発信元へ送出する。
【００１７】
その後、ステップＳ４０８において、ウェイクアップ状態を検出したか否かを判定し、ウェイクアップ状態を検出した場合には、ステップＳ４０９において、当該内線電話機を呼び出し状態にし、ステップＳ４１０において、当該内線電話機の応答有か否かを判定し、応答有の場合には、ステップＳ４１１において、発信元と当該内線端末の通話路を接続し、ステップＳ４１２において、終了する。
【００１８】
また、ステップＳ４０３において、転送／留守モードである場合には、ステップＳ４１３に移行し、ステップＳ４１３において、着信呼に応答し、ステップＳ４１４において、主装置と発信元間で通話セッションを確立し、ステップＳ４１５において、転送／留守モードである旨の第３のメッセージを発信元へ送出し、ステップＳ４１６において、転送／留守モード処理を行い、ステップＳ４１２に移行し、終了する。
【００１９】
ステップＳ４０８において、ウェイクアップ状態を検出しない場合には、ステップＳ４２０に移行し、ステップＳ４２０において、タイムアウトか否かを判定し、タイムアウトでない場合には、ステップＳ４０８に移行し、ウェイクアップ状態を検出したか否かの判定を繰り返す。タイムアウトの場合には、ステップＳ４１８において、給電を停止し、ステップＳ４１９において、応答無し旨の第２メッセージを発信元へ送出し、ステップＳ４２１において、切断し、ステップＳ４１２に移行して終了する。
【００２０】
ステップＳ４１０において、当該電話機の応答がない場合には、ステップＳ４１７において、タイムアウトか否かを判定し、タイムアウトでない場合には、ステップＳ４０８に移行し、ウェイクアップ状態を検出したか否かの判定を繰り返し、タイムアウトの場合には、ステップＳ４１８において、給電を停止し、ステップＳ４１９において、応答無し旨の第２メッセージを発信元へ送出し、ステップＳ４２１において、切断し、ステップＳ４１２に移行して終了する。
【００２１】
図５は、内線電話端末オフフック時の給電停止モードからの起動動作のフローチャートである。図５のステップＳ５０１において、スタートすると、ステップＳ５０２において、オフフックか否かを判定する。
【００２２】
オフフックの場合には、ステップＳ５０３において、ループが生成され、ステップＳ５０４において、主装置より受電開始を受け、Ｓ５０５において、リセットスタートを行い、ステップＳ５０６において、プログラムロード初期化を行って、ステップＳ５０７において、ウェイクアップ完了を主装置に送出し、ステップＳ５０８において、終了する。
【図面の簡単な説明】
【００２３】
【図１】図１は、本発明の実施例１のＩＰ電話システムの全体構成図である。
【図２】図２は、本発明のＩＰ電話システムの主装置の構成図である。
【図３】図３は、本発明のＩＰ電話システムの内線電話端末の構成図である。
【図４】図４は、主装置の給電停止モード端末への着信動作のフローチャートである。
【図５】図５は、内線電話端末オフフック時の給電停止モードからの起動動作のフローチャートである。
【符号の説明】
【００２４】
１    ＩＰ電話システム
１１    主装置
１２    内線電話端末
１３    ＷＡＮ
１４    ＬＡＮ
１５    電話網
２１    通信制御部
２２    共通メモリ部
２３    メッセージ送信部
２４    給電処理部
２５    ループ検出部
２６    交換処理部
２７    ＧＷ部
２８−１    ＬＡＮポート部
２８−２    ＬＡＮポート部
２８−３    ＬＡＮポート部
２９    電源部
３０    バックアップ電池部
３１    音声処理コーデック部
３２    データ送受信部
３３    ＬＡＮＩ／Ｆ部
３４    受電部
３５    電源回路部
３６    ループ生成部
３７    給電制御部
３８    ウェイクアップ状態通知部
３９    制御部
４１    表示部
４２    キー部
４３    フックスイッチ部
４４    スピーカ部
４５    マイク部
４６    ハンドセット部
【図１】
0005211670.tif 000002
【図２】
0005211670.tif 000003
【図３】
0005211670.tif 000004
【図４】
0005211670.tif 000005
【図５】
0005211670.tif 000006